(57)【要約】【課題】  通常の枕を使用しながらいびき防止を可能とする枕下敷用いびき防止装置を提供する。【解決手段】  給排気することにより膨張収縮可能に形成された主エアーバッグ５と、給排気することにより膨張収縮可能に形成された補助エアーバッグ６と、主エアーバッグ５及び補助エアーバッグ６を給排気する給排気装置とを備えている。また、主エアーバッグ５は枕９の下に配置され、補助エアーバッグ６は主エアーバッグ５の下に配置され、さらに、この主エアーバッグ５及び補助エアーバッグ６は、給排気装置が駆動されることにより給気されて膨張し、枕９を上方に押し上げるように構成されている。【選択図】      図１
2006101934.tif 000002
【特許請求の範囲】
【請求項１】
給排気することにより膨張収縮可能に形成された主エアーバッグと、給排気することにより膨張収縮可能に形成された補助エアーバッグと、主エアーバッグ及び補助エアーバッグを給排気する給排気装置とを備え、
主エアーバッグは枕の下に配置され、補助エアーバッグは主エアーバッグの下に配置され、さらに、この主エアーバッグ及び補助エアーバッグは、給排気装置が駆動されることにより給気されて膨張し、枕を上方に押し上げるように構成されていることを特徴とする枕下敷用いびき防止装置。
【請求項２】
請求項１記載の枕下敷用いびき防止装置において、主エアーバッグ及び補助エアーバッグを取り付ける固定シートをさらに備え、この固定シートは、主エアーバッグ及び補助エアーバッグより硬質の材料から形成されていることを特徴とする枕下敷用いびき防止装置。
【請求項３】
補助エアーバッグは、主エアーバッグより小さく形成されていることを特徴とする請求項１又は２記載の枕下敷用いびき防止装置。
【請求項４】
請求項２又は３記載の枕下敷用いびき防止装置において、少なくとも主エアーバッグ、補助エアーバッグ及び固定シートとを着脱自在に覆うカバーをさらに備え、前記主エアーバッグの上に載置する枕は、このカバーの上に着脱自在に取り付けられていることを特徴とする枕下敷用いびき防止装置。
【請求項５】
主エアーバッグは、膨張時、足元側が頭上側より上方となるように補助エアーバッグにより支持されていることを特徴とする請求項１〜４の何れか１項に記載の枕下敷用いびき防止装置。
【請求項６】
請求項１〜５の何れか１項に記載の枕下敷用いびき防止装置において、いびきを検出するいびきセンサと、給排気装置を制御する制御部とをさらに備え、
この制御部は、いびきセンサでいびきを検出したときに給排気装置を制御して、主エアーバッグ及び補助エアーバッグを給気して膨張させ、いびきセンサでいびきを検出してから予め設定された膨張維持時間を経過した後に、又は、いびきセンサでいびきの停止を検出してから予め設定されたいびき停止時間を経過した後に、給排気装置を制御して、主エアーバッグ及び補助エアーバッグを排気して収縮させることを特徴とする枕下敷用いびき防止装置。
【請求項７】
就寝者が使用する枕の下にエアーバッグを敷き、いびきを検出するいびきセンサによりいびきを検出したときにエアーバッグを膨張させて就寝者の盆の窪付近を上方に押し上げて、就寝者の頭部の頂部に対し就寝者の盆の窪が上方となるように就寝者の頭部を傾斜させることを特徴とするいびき防止方法。
【請求項８】
エアーバッグとして、就寝者の頭部を支持する主エアーバッグと、主エアーバッグを支持する補助エアーバッグとを用い、補助エアーバッグの支持作用により主エアーバッグの頭上側に対して足元側を押し上げて、就寝者の盆の窪付近を上方に押し上げるようにしたことを特徴とする請求項７記載のいびき防止方法。
【発明の詳細な説明】
【技術分野】
【０００１】
本発明は、枕下敷用いびき防止装置、特に、エアーバッグを枕の下に敷き、睡眠者がいびきをかいたときにこのエアーバッグを膨張させ、枕を介して睡眠者の頭部を押し上げることによりいびきを防止するようにした枕下敷用いびき防止装置に関するものである。
【背景技術】
【０００２】
従来のエアーバッグを用いたいびき防止装置としては特許文献１に記載された枕がある。この枕は、枕本体の後頭部に位置するクッション部材をくり抜いて、後頭部を支持するエアーバッグを配置し、さらに、枕本体の首筋から肩口にかけて位置するクッション部材をくり抜いて、首筋から肩口を支持するエアーバッグを配置している。そして、常時は後頭部を支持するエアーバッグを膨張させておき、いびきをかいたときに先ず後頭部を支持するエアーバッグを収縮させて、盆の窪に対し頭部の頂部が下がるように頭部を傾斜させ、これにより上気道を開いていびきを止めるようにしている。なお、この処置でいびきがとまらないときには、首筋から肩部にかけての左右のエアーバッグを膨張又は収縮させて体を左右に傾けて舌根の後退を防止していびきを防止するようにしている。
【特許文献１】特開２００４−２２３０２６号公報
【発明の開示】
【発明が解決しようとする課題】
【０００３】
いびきをかく一番大きな原因は、眠ると咽頭筋の緊張が低下して舌根が後退し、上気道が狭くなって呼吸のための空気の通路が狭くなり、空気圧が高くなって上気道を通過した空気が広い空間に拡散して乱流を発生し、これがいびきになるといわれている。したがって、盆の窪に対し頭部の頂部側が下がるように頭部を所定角度傾斜させると、上気道を押し広げることができ、いびきを防止することができる。また、横臥姿勢をとらせると舌根の後退による上気道の閉塞を防ぎいびきを防止できるといわれている。
【０００４】
しかしながら、上記従来のいびき防止用の枕は、いびきを検出したときに通常睡眠時の状態からエアーバッグの空気を抜いて頭部の頂部側を下げて盆の窪が上方となるように頭部を傾斜させる構造としていた。しかしながら、枕の高さは通常睡眠時において安眠可能な高さに設定されていなければならないため、通常睡眠時の状態からエアーバッグの空気を抜いて頭部の頂部側を下げても、頭部を所定角度傾斜させることが困難であった。また、上記構成の枕では、枕の中のクッション部材をくり抜いてエアーバッグを埋め込む構成としているので、枕の構造が複雑となり高価になるという欠陥があった。また、いびき防止用の枕となると通常の枕のように多様な仕様を採り入れることができないので使用者の好みを満足させることができないという問題があった。また、後頭部を支持するエアーバッグは１個で形成されていたので、必要な膨張収縮を得るためにはエアーバッグが大きくなるという問題があった。エアーバッグを大きくしたときの問題点としては、エアーバッグを膨張させるのに必要な空気量が多くなることで、エアーバッグを膨張させて頭部を支持するときの膨張時の変形量が大きくなり頭部を所定通りに傾斜させにくくなる、エアーバッグを膨張収縮させるための給排気量が多くなるため、エアーバッグの給排気に伴う騒音発生時間が長くなり安眠を妨げる恐れがある、給排気量が多くなることによりいびき防止動作の開始終了の応答性が悪くなるなどを挙げることができる。
【０００５】
本発明は、従来技術におけるこのような問題点に鑑みなされたものであって、通常の枕を使用しながらいびき防止を可能とする枕下敷用いびき防止装置を提供することを目的とする。
【課題を解決するための手段】
【０００６】
本発明は、上記課題を解決するためになされたものであって、第１の発明に係る枕下敷用いびき防止装置は、給排気することにより膨張収縮可能に形成された主エアーバッグと、給排気することにより膨張収縮可能に形成された補助エアーバッグと、主エアーバッグ及び補助エアーバッグを給排気する給排気装置とを備え、主エアーバッグは枕の下に配置され、補助エアーバッグは主エアーバッグの下に配置され、さらに、この主エアーバッグ及び補助エアーバッグは、給排気装置が駆動されることにより給気されて膨張し、枕を上方に押し上げるように構成されていることを特徴とする。ここに、主エアーバッグは１個のものに限定されるものではなく、左右方向に分割されたり前後方向に分割されたりした複数のエアーバッグを包含する概念である。また、補助エアーバッグも１個のものに限定されるものではなく、上下方向に分割されたり、前後方向に分割されたりした複数のエアーバッグをも包含する概念である。
【０００７】
また、第２の発明に係る枕下敷用いびき防止装置は、第１の発明において、主エアーバッグ及び補助エアーバッグを取り付ける固定シートをさらに備え、この固定シートは、主エアーバッグ及び補助エアーバッグより硬質の材料から形成されていることを特徴とする。ここに、主エアーバッグ及び補助エアーバッグより硬質とは、膨張時の主エアーバッグ及び補助エアーバッグの硬さより硬いことを意味する。
【０００８】
また、第３の発明に係る枕下敷用いびき防止装置は、補助エアーバッグは、主エアーバッグより小さく形成されていることを特徴とする。
また、第４の発明に係る枕下敷用いびき防止装置は、前記第２又は第３の発明において、少なくとも主エアーバッグ、補助エアーバッグ及び固定シートとを着脱自在に覆うカバーをさらに備え、前記主エアーバッグの上に載置する枕は、このカバーの上に着脱自在に取り付けられていることを特徴とする。
【０００９】
また、第５の発明に係る枕下敷用いびき防止装置は、前記第１〜第４の発明において、主エアーバッグは、膨張時、足元側が頭上側より上方となるように補助エアーバッグにより支持されていることを特徴とする。ここに、エアーバッグの足元側とは、膨張していない状態のエアーバッグにおける就寝者の足に近い側をいい、エアーバッグの頭上側とは、膨張していない状態のエアーバッグにおける就寝者の反足元側、つまり就寝者を基準に考えると頭部の頂部側をいう。
【００１０】
また、第６の発明に係る枕下敷用いびき防止装置は、前記第１〜第５の発明において、いびきを検出するいびきセンサと、給排気装置を制御する制御部とをさらに備え、この制御部は、いびきセンサでいびきを検出したときに給排気装置を制御して、主エアーバッグ及び補助エアーバッグを給気して膨張させ、いびきセンサでいびきを検出してから予め設定された膨張維持時間を経過した後に、又は、いびきセンサでいびきの停止を検出してから予め設定されたいびき停止時間を経過した後に、給排気装置を制御して、主エアーバッグ及び補助エアーバッグを排気して収縮させることを特徴とする。
【００１１】
また、第７の発明に係るいびき防止方法は、就寝者が使用する枕の下にエアーバッグを敷き、いびきを検出するいびきセンサによりいびきを検出したときにエアーバッグを膨張させて就寝者の盆の窪付近を上方に押し上げて、就寝者の頭部の頂部に対し就寝者の盆の窪が上方となるように就寝者の頭部を傾斜させることを特徴とする。
【００１２】
また、第８の発明に係るいびき防止方法は、第７の発明のいびき防止方法において、エアーバッグとして、就寝者の頭部を支持する主エアーバッグと、主エアーバッグを支持する補助エアーバッグとを用い、補助エアーバッグの支持作用により主エアーバッグの頭上側に対して足元側を押し上げて、就寝者の盆の窪付近を上方に押し上げるようにしたことを特徴とする。
【発明の効果】
【００１３】
第１の発明に係る枕下敷用いびき防止装置によれば、枕の下に敷いて使用する主エアーバッグと補助エアーバッグとで就寝者の使用する枕を上方に押し上げるので、就寝者の頭部の頂部側に対し盆の窪を上方となるように就寝者の頭部を傾斜させることが容易となる。このため、就寝者の盆の窪を押し上げて上気道を押し開くことができ、従来に比しより確実にいびきを防止することができる。また、主エアーバッグと補助エアーバッグとは枕の下に敷いて使用されるものであって枕を特定する必要がないので、使用者の好みの枕を使用することができる。また、枕を支持するエアーバッグは、枕の下に敷かれる主エアーバッグと主エアーバッグの下に敷かれる補助エアーバッグとからなる複数個で構成されるので、従来のように１個のエアーバッグが使用される場合に比し、エアーバッグを膨張収縮させるための給排気量が少なくなる。この結果、主エアーバッグを膨張させて頭部を支持する場合の変形量が小さくなり、頭部を所定角度傾斜させることが容易になる。また、エアーバッグを膨張収縮させるための給排気量が少なくなるので、エアーバッグの給排気に伴う騒音発生時間を短くすることができ、騒音による安眠の妨げを緩和することができる。さらに、エアーバッグの給排気量が少なくなることにより、いびき防止動作の開始終了時の応答性を向上させることができる。
【００１４】
また、第２の発明に係る枕下敷用いびき防止装置によれば、第１の発明において、主エアーバッグ及び補助エアーバッグが、これらエアーバッグより硬質の材料からなる固定シート上に取り付けられているので、これらエアーバッグが所定位置に配置することができるとともに、これらエアーバッグがこの枕下敷用いびき防止装置を使用する寝具上で沈むようなことがなくなり、設定位置通りに枕を押し上げることができる。
【００１５】
また、第３の発明に係る枕下敷用いびき防止装置によれば、第１又は２の発明において、補助エアーバッグは、主エアーバッグより小さく形成されているので、エアーバッグの給排気量をさらに減少させることができる。このように補助エアーバッグを小さくすることができるのは、いびきを止めるためには就寝者の盆の窪付近を押し上げればよいからであり、このように局部的に主エアーバッグを上方に押し上げるためには大きなエアーバッグより小さなエアーバッグを用いる方が容易となる。また、補助エアーバッグを小さくしてエアーバッグの給排気量を小さくすると、より一層騒音発生時間を短縮して騒音を緩和することができ、さらに、いびき防止装置の応答性を向上させることができる。
【００１６】
また、第４の発明に係る枕下敷用いびき防止装置によれば、第２又は３の発明において、前述の主エアーバッグ、補助エアーバッグ及び固定シートがカバーにより覆われているので、一体的装置として取扱いが容易になる。また、主エアーバッグ、補助エアーバッグ及び固定シートがカバーに対し着脱自在に取り付けられているので、カバーだけを取り外して洗濯することができ、カバーを清潔に保つことができる。
【００１７】
また、第５の発明に係る枕下敷用いびき防止装置によれば、第１〜４の何れかの発明において、主エアーバッグの足元側を頭上側より上方に押し上げるように、主エアーバッグが補助エアーバッグにより支持されているので、より一層就寝者の頭部を所定の傾斜角に傾斜させることができる。これにより、就寝者の盆の窪を少量の空気で効率よく持ち上げて上気道を押し広げることができ、いびきを防止することができる。
【００１８】
また、第６の発明に係る枕下敷用いびき防止装置によれば、第１〜５の何れかの発明において、いびきセンサによりいびきを検出することができる。そして、いびきセンサがいびきを検出すると、制御部により給排気装置が制御されて、主エアーバッグ及び補助エアーバッグを膨張させていびきを防止することができる。また、いびきセンサでいびきを検出してから予め設定された膨張維持時間を経過した後に、又は、いびきセンサでいびきの停止を検出してから予め設定されたいびき停止時間を経過した後には、制御部により、主エアーバッグ及び補助エアーバッグが収縮するように制御されるので、いびき停止後は不自然な姿勢から開放され、安眠姿勢に移ることができる。
【００１９】
また、第７の発明に係るいびき防止方法によれば、いびきを検出したときにエアーバッグを膨張させて就寝者の盆の窪付近を上方に押し上げ、頭部の頂部に対し盆の窪が上方となるように就寝者の頭部を傾斜させるので、いびきを効果的に防止することができる。
【００２０】
また、第８の発明に係るいびき防止方法によれば、第７の発明において、エアーバッグとして、就寝者の頭部を支持する主エアーバッグと、主エアーバッグを支持する補助エアーバッグとを用い、補助エアーバッグの支持作用により主エアーバッグの足元側を上げて、就寝者の盆の窪付近を上方に押し上げるようにしているので、少ない給排気量でエアーバッグを膨張収縮することができる。就寝者の盆の窪付近を効率良く、かつ的確に押し上げることができる。また、小さい補助エアーバッグで主エアーバッグを押し上げるので、騒音発生時間を短縮して騒音を緩和することができ、さらに、いびき防止装置の応答性を向上させることができる。
【発明を実施するための最良の形態】
【００２１】
本発明を具体化した実施の形態に係る枕下敷用いびき防止装置を図１〜図５に基づき説明する。図１は本発明の実施の形態に係る枕下敷用いびき防止装置の全体構成図である。図２は同枕下敷用いびき防止装置の使用状態の斜視図であって、枕部のカバーを取り外した状態で示したものである。図３は同枕下敷用いびき防止装置の側面図であって、通常睡眠時の状態図である。図４は同枕下敷用いびき防止装置の側面図であって、いびき防止装置作動時の状態図である。図５は本発明の動作説明図であって、（ａ）は本発明によるエアーバッグの膨張状態模式図であり、（ｂ）は参考図であって、エアーバッグ１個を使用したときのエアーバッグの膨張状態模式図である。
【００２２】
図１に示すように、本発明に係る枕下敷用いびき防止装置１は、枕装置２とこれを制御する制御装置３とから構成されている。枕装置２は、マットレス等の寝具１０上に載置される固定シート４、固定シート４に固定された主エアーバッグ５、主エアーバッグ５と固定シート４との間に配置された補助エアーバッグ６、固定シート４及び後述するいびきセンサ１６とをそれぞれ着脱自在に固定するベースシート７、これら４、５、６、７、１６を着脱自在に覆うカバー８からなる。なお、この実施の形態においては、主エアーバッグ５と補助エアーバッグ６とで枕９を押し上げるためのエアーバッグが構成されている。
【００２３】
固定シート４は、膨張時における主エアーバッグ５及び補助エアーバッグ６の硬さより硬い硬質のウレタンなどの樹脂製シートに構成されている。また、主エアーバッグ５及び補助エアーバッグ６は、表裏２枚の軟質性シート材を重ね合わせて外周部を接合して袋状に形成したものである。軟質性シートとしては、伸縮性材料からなるシート又は非伸縮性材料からなるシートを用いることができる。また、伸縮性材料からなるシートとしては、ゴム又は弾性樹脂からなるシートを挙げることができる。また、非伸縮性材料からなるシートとしては、ナイロン、ナイロンナフタで補強したポリエチレン、生地付ウレタン又は布などからなるシートを挙げることができる。また、軟質性シートとして伸縮性材料と非伸縮性材料との中間的な材料を用いてもよく、このような材料としてウレタンシートを挙げることができる。また、これらシートの接合方法として、接着剤で接着する方法、溶着により接合する方法などを用いることができる。また、ベースシート７はウレタンなどのマットが用いられている。また、カバー８は伸縮性のある布、ウレタンなどのシート状のものであって、洗濯可能な材料で製作されている。
【００２４】
また、前述の主エアーバッグ５は、補助エアーバッグ６より大きく形成されたものであって、頭上側の一定幅の縁部５ａが固定シート４に固定されている。また、補助エアーバッグ６は、主エアーバッグ５の足元側を起こす作用をするもので、主エアーバッグ５より小さく主エアーバッグ５を必要高さまで起こすのに適切な大きさとされている。この補助エアーバッグ６は中央部下面で固定シート４に取り付けられている。主エアーバッグ５及び補助エアーバッグ６の固定方法は特に限定されるものではないが、フック、ボタン、紐で取り付けるなど固定シート４に対し取着自在に取り付けるようにしてもよい。
【００２５】
また、主エアーバッグ５の上方位置におけるカバー８の上面には、通常の枕９が載置される。この枕９が主エアーバッグ５上で所定位置に取り付けて移動しないようにする必要がある。このため、カバー８の上面には枕９を取り付けるための取付具が所定位置に設けられている。取付具としては、フック、ボタン、紐、面状ファスナーなどを用いることができる。この場合に、カバー８の表面部に枕９の取り付け位置を明示しておくことにより、取付具による取付時に枕９の位置を調整可能にしておくことが好ましい。
【００２６】
制御装置３は、エアーポンプ１１、エアーポンプ１１と主エアーバッグ５とを接続する空気配管１２、エアーポンプ１１と補助エアーバッグ６とを接続する空気配管１３、これら空気配管１２、１３に接続された給排気弁１４、１５、就寝者２０のいびきを検出するように寝具１０上に配置されたいびきセンサ１６、いびきセンサ１６からの信号に基づき給排気弁１４、１５及びエアーポンプ１１を制御する制御部１７などから構成されている。制御部１７には、操作スイッチ（図示せず）も設けられている。なお、上記において、エアーポンプ１１、エアーポンプ１１と主エアーバッグ５とを接続する空気配管１２、エアーポンプ１１と補助エアーバッグ６とを接続する空気配管１３及びこれら空気配管１２、１３に接続された給排気弁１４、１５は本発明にいう給排気装置を構成する。また、いびきセンサ１６として静電容量式のものを使用している。
【００２７】
上記のように構成された枕下敷用いびき防止装置の動作について説明する。
先ず、就寝に際し就寝者２０は、図２のように寝具１０の上に枕装置２をセットし、その上に好みの枕９を取り付ける。このとき、枕９はカバー８に明示されている枕９の取付け位置を確認しながら取り付ける。枕９は抱き枕のようなものは適しないが長方形のものであれば先ず問題ない。次いで、制御部１７の操作スイッチにより作動状態にする。就寝時は主エアーバッグ５も補助エアーバッグ６も排気状態であるので、図３のような状態となっており、就寝者２０の頭部２１は略平行に保持されており、心地よく睡眠することができる。
【００２８】
就寝後、就寝者２０がいびきをかくと、制御装置３のいびきセンサ１６がいびきを検知する。制御部１７は、いびきセンサ１６からのいびき発生の信号を受信し、エアーポンプ１１を駆動するとともに、給排気弁１４、１５を給気状態として主エアーバッグ５及び補助エアーバッグ６を給気する。このとき、図４に示すように、主エアーバッグ５の頭上側が固定され足元側が固定されていないことと、補助エアーバッグ６が主エアーバッグ５の下方に位置されていることとから、主エアーバッグ５の足元側が高くなるように主エアーバッグ５を起こした状態とすることができる。エアーバッグの足元側を所定高さに起こす方法として、図５（ｂ）に示すように１個のエアーバッグ５０の頭上側を固定して膨張させる方法も考えられるが、この場合に比し本発明の場合（本発明の場合の膨張状態模式図である図５（ａ）参照）の方が、主エアーバッグ５の足元側を所定高さまで起こすのに必要な空気量が少なくなる。
【００２９】
このようにして主エアーバッグ５の足元側を所定高さまで起こすと、就寝者２０の盆の窪２２を押し上げることができ、これにより、上気道を押し開きいびきを防止することができる。そして、いびきセンサでいびきの停止を検出してから予め設定されたいびき停止時間が経過した後に、制御部１７からの指示に従いエアーポンプ１１が停止され、給排気弁１４、１５を排気状態として、主エアーバッグ５及び補助エアーバッグ６を収縮させ、当初の状態に戻す。これにより、就寝者２０は、不自然な姿勢から開放されて安眠姿勢に移ることができ、安眠することができる。
【００３０】
本実施の形態の枕下敷用いびき防止装置１は、上記のように構成されるものであって、次の効果を奏することができる。
（１）枕の下に敷いて使用する主エアーバッグ５と補助エアーバッグ６とで就寝者２０の使用する枕９を上方に押し上げるので、就寝者２０の頭部２１の頂部側に対し盆の窪２２を上方となるように就寝者２０の頭部２１を傾斜させることが容易となる。このため、就寝者２０の盆の窪２２を押し上げて上気道を押し開くことができ、従来に比しより確実にいびきを防止することができる。また、主エアーバッグ５と補助エアーバッグ６とは枕９の下に敷いて使用されるものであって枕を特定する必要がないので、使用者の好みの枕を使用することができる。
（２）また、枕９を支持するエアーバッグは、枕９の下に敷かれる主エアーバッグ５と主エアーバッグ５の下に敷かれる補助エアーバッグ６とからなる複数個で構成されているので、従来のように１個のエアーバッグが使用される場合に比し、エアーバッグを膨張収縮させるための給排気量が少なくなる。この結果、主エアーバッグ５を膨張させて頭部２１を支持する場合の変形量が小さくなり、頭部２１を所定角度に傾斜させることが容易になる。また、エアーバッグを膨張収縮させるための給排気量が少なくなるので、エアーバッグの給排気に伴う騒音発生時間を短くすることができ、騒音による安眠の妨げを緩和することができる。さらに、エアーバッグの給排気量が少なくなることにより、いびき防止動作の開始終了時の応答性を向上させることができる。
（３）主エアーバッグ５及び補助エアーバッグ６が、これらエアーバッグ５、６の膨張時における硬さより硬い硬質の材料からなる固定シート４上に取り付けられているので、これらエアーバッグ５、６を所定位置に配置することができるとともに、これらエアーバッグ５、６がこの枕下敷用いびき防止装置１を使用する寝具１０上で沈むようなことがなくなり、設定位置通りに枕９を押し上げることができる。
（４）補助エアーバッグ６は、主エアーバッグ５より小さく形成されているので、エアーバッグの給排気量をさらに減少させることができる。このように補助エアーバッグ６を小さくすることができるのは、いびきを止めるためには就寝者２０の盆の窪２２付近を押し上げればよいからであり、このように局部的に主エアーバッグ５を上方に押し上げるためには大きなエアーバッグより小さなエアーバッグを用いる方が容易となる。また、補助エアーバッグ６を小さくしてエアーバッグの給排気量を小さくすると、より一層騒音発生時間を短縮して騒音を緩和することができ、さらに、いびき防止装置１の応答性を向上させることができる。
（５）少なくとも主エアーバッグ５、補助エアーバッグ６及び固定シート４がカバー８により覆われているので、一体的装置として取扱いが容易になる。また、主エアーバッグ５、補助エアーバッグ６及び固定シート４がカバー８に対し着脱自在に取り付けられているので、カバー８だけを取り外して洗濯することができ、カバー８を清潔に保つことができる。
（６）ベースシート７に対し、固定シート４、いびきセンサ１６及びカバー８が着脱自在に取り付けられているので、ベースシート７を取り出して洗濯、乾燥させることができる。
（７）主エアーバッグ５の足元側を頭上側より上方に押し上げるように、主エアーバッグ５が補助エアーバッグ６により支持されているので、より一層就寝者の頭部２１を所定の傾斜角に傾斜させることができる。これにより、就寝者２０の盆の窪２２を少量の空気で効率よく持ち上げて上気道を押し広げることができ、いびきを防止することができる。
（８）いびきセンサ１６によりいびきを検出することができる。そして、いびきセンサ１６がいびきを検出すると、制御部１７により給排気装置が制御されて、主エアーバッグ５及び補助エアーバッグ６を膨張させていびきを防止することができる。また、いびきセンサ１６でいびきを検出してから予め設定された膨張維持時間を経過した後には、制御部１７により、主エアーバッグ５及び補助エアーバッグ６が収縮するように制御されるので、いびき停止後は不自然な姿勢から開放され、安眠姿勢に移ることができる。
【００３１】
また、本発明のいびき防止方法によれば、次の効果を奏することができる。
（１）いびきを検出したときにエアーバッグ５、６を膨張させて就寝者２０の盆の窪２２付近を上方に押し上げ、頭部２１の頂部に対し盆の窪２２が上方となるように就寝者２０の頭部２１を傾斜させるので、いびきを効果的に防止することができる。
（２）エアーバッグ５、６として、就寝者２０の頭部２１を支持する主エアーバッグ５と、主エアーバッグ５を支持する補助エアーバッグ６とを用い、補助エアーバッグ６の支持作用により主エアーバッグ５における足元側を押し上げて、就寝者２０の盆の窪２２付近を上方に押し上げるようにしているので、少ない給排気量でエアーバッグ５、６を膨張収縮することができる。就寝者２０の盆の窪２２付近を効率良く、かつ的確に押し上げることができる。また、小さい補助エアーバッグ６で主エアーバッグ５を押し上げるので、騒音発生時間を短縮して騒音を緩和することができ、さらに、いびき防止装置１の応答性を向上させることができる。
【００３２】
以上説明した実施例において、次のように変形することも可能である。
（１）いびきセンサ１６として静電容量式のものを使用して枕装置２の内に取り付けていたが、いびき音を直接的に集音する方式のものを用いてもよく、このような場合には、枕装置２の外側に取り付けてもよい。
（２）いびき防止装置１が作動させていびきを止めた場合の処理として、いびきセンサ１６でいびきの停止を検出してから予め設定されたいびき停止時間を経過した後に、制御部１７により、主エアーバッグ５及び補助エアーバッグ６が収縮するように制御していたが、これに代えて、いびきセンサ１６でいびきを検出してから予め設定された時間エアーバッグ５、６の膨張を維持した後、つまり、予め設定された膨張維持時間を経過した後に、主エアーバッグ５及び補助エアーバッグ６を収縮するように制御してもよい。
（３）補助エアーバッグ６は中央部で固定シート４に取り付けていたが、補助エアーバッグ６の頭上側の縁部で固定シート４に取り付けるようにしてもよい。この場合、補助エアーバッグ６の頭上側の縁部を主エアーバッグ５の頭上側の縁部５ａの下に延ばして、同一取付具で固定シート４に固定するようにしてもよい。
（４）主エアーバッグ５及び補助エアーバッグ６は、それぞれ１個である場合を説明したが、このような１個のものに限定されるものではなく、左右方向に分割されたり前後方向に分割されたりした複数のエアーバッグとしてもよい。また、補助エアーバッグも１個のものに限定されるものではなく、上下方向に分割されたり、前後方向に分割されたりした複数のエアーバッグにいてもよい。
（５）前述の実施の形態では給排気弁１４、１５を主エアーバッグ５及び補助エアーバッグ６に対しそれぞれ設けていたので２個となっていたが、これを主エアーバッグ５及び補助エアーバッグ６とに対し共通にする１個としてもよい。
【図面の簡単な説明】
【００３３】
【図１】本発明の実施の形態に係る枕下敷用いびき防止装置の全体構成図である。
【図２】同枕下敷用いびき防止装置の使用状態の斜視図であって、枕部のカバーを取り外した状態で示したものである。
【図３】同枕下敷用いびき防止装置の側面図であって、通常睡眠時の状態図である。
【図４】同枕下敷用いびき防止装置の側面図であって、いびき防止装置動作時の状態図である。
【図５】本発明の動作説明図であって、（ａ）は本発明によるエアーバッグの膨張状態模式図であり、（ｂ）は参考図であって、エアーバッグ１個を使用したときのエアーバッグの膨張状態模式図である。
【符号の説明】
【００３４】
１  枕下敷用いびき防止装置、２  枕装置、４  固定シート、５  主エアーバッグ、５ａ  縁部、６  補助エアーバッグ、７  ベースシート、８  カバー、９  枕、１１  エアーポンプ、１４  給排気弁、１５  給排気弁、１６  いびきセンサ、１７  制御部、２０  就寝者、２１  頭部、２２  盆の窪。
【図１】
2006101934.tif 000003
【図２】
2006101934.tif 000004
【図３】
2006101934.tif 000005
【図４】
2006101934.tif 000006
【図５】
2006101934.tif 000007